Podtech/llm-jp-corpus-v4-ja_patent huggingface dataset:
(57)【要約】【課題】  枝打ち用登降機で長い１本の筒形接合具を、比較的短い筒形接合具２本を角度が変えられる連結具で繋いだものと置き換え、幹に沿って抱かせる。これにより、筒の全長は同じでもより太い幹を抱けるようにする。また、筒形接合具の外壁に沿ってスライドさせるカバー筒接合具は幹の大きさに合わせて接合させるので、筒形接合具上を自由に移動できないといけない。【解決手段】  チェーンの結合方法で結合した連結具の両端を二つの筒形接合具の筒縁内壁内にそれぞれ適切に固定する。そして、連結具及びそれと関連する固定具等はすべて筒形接合具の外壁内に納める。また、筒縁は連結具の機能と工作作業に好都合となるように適切に一部切除する。【選択図】図１
0003123463.tif 000002
【実用新案登録請求の範囲】
【請求項１】
二つの筒を連結するとき、一方の筒縁の内壁内に入る短い筒を固定する。その筒にはあらかじめ上下二枚の、先端に結合用の穴をあけた突起部を設けておく。他方の筒縁の内側に接して結合可能な同様の突起部を持つ短い筒を固定する。両者を向き合わせ結合用の穴を重ねて、チェーンの結合方法で結合した構造で、連結具及びそれと関連する内外の筒の固定具等はすべて外側筒の外壁内に納めた連結具
【考案の詳細な説明】
【技術分野】
【０００２】  本考案は、繋いだ二つの筒は一方向に曲げられ、直線状のときは、その筒の外側に密着して動ける短い筒がそこを通過できる筒の連結具に関するものである。
【背景技術】
【０００３】  林業用で椅子とワイヤーを二つの接合脱着装置で幹を抱いて接合したものと、足載せ台とワイヤーを二つの接合脱着装置で幹を抱いて接合したものの二組を使って、尺取虫のようにして直幹樹木を登り降りする枝打ち用登降機（以下登降機という。）がある。接合脱着装置は、椅子等にＶ字形に繋がっている２本の直筒にそれぞれ接合用金属棒を通す穴を数個あけた筒型接合具と、ワイヤーの両端に繋がっている、接合用金属棒を通す穴を一つあけたカバー筒接合具、及び接合用金属棒と安全ピンから成っている。この登降機で作業するとき、太い幹を抱かせるのにＶ字形直筒の筒形接合具に不具合を感じる。
【考案の開示】
【考案が解決しようとする課題】
【０００４】  登降機の椅子等にＶ字形に繋がっている２本の筒形接合具は直筒なので、ワイヤーゴム帯の長さを同じとして、直筒の長さに対して抱ける幹の最大直径は小さい。そこで、２本の直筒を、それぞれ比較的短い筒形接合具２本を角度が変えられる連結具で繋いだものと置き換える。これにより、筒の全長は同じでも太い幹を抱けるようにする。【０００５】  また、カバー筒接合具は幹の大きさに合わせて筒形接合具上を自由に移動できないといけないので、連結具で繋がった二つの筒形接合具を直線状にしてカバー筒接合具がそこを通過できるようにする必要がある。
【課題を解決するための手段】
【０００６】  短い筒形接合具の二つの筒の一方の筒縁の内壁内に、そこに入る短い筒を固定する。その筒にはあらかじめ上下二枚の先端に結合用の穴をあけた突起部を設けておく。他方の筒縁の内壁内にも同様の突起部を持つ短い筒を固定し、両者を向き合わせ結合用の穴を重ねて、チェーンの結合方法で結合する。【０００７】  連結具及びそれと関連する内・外側筒の固定具等はすべて外側筒の外壁内に納める。
【考案の効果】
【０００８】  左右２本の筒形接合具はそれぞれ比較的短い２本の直筒が角度を持って繋がり、それらが幹に沿って抱くので、Ｖ字形２本の直筒で抱くより太い幹が抱ける。また、登降機の全体的力関係がより効果的に働くようになる。【０００９】  同じ太い幹について、直筒形に比べ椅子組及び足載せ台組の幹の向こう側先端部が持ち上げやすい。その他の条件も絡んで、この種機器は普通、同じ用途の機器でも中径木用と大径木用別々に二機種購入しなければならないところを、小部品を追加するだけで中・大径木兼用一機種で済ますことができる。
【考案を実施するための最良の形態】
【００１０】  連結する二つの筒は、直線状態とどちらか一方へ曲がることができるようにするために、図１に示したように曲がる側の二つの筒縁角部を一部切除する。また、結合具のチェーン結合部の上下にカシメ作業等ができるように、二つの筒の縁の上下接触部中央部位をそれぞれ半円形に切除しておく。【００１１】  連結具で繋がった２〜３本の筒が下に枝垂れないように、結合部の太さと二つの突起部の上下幅はできるだけ大きくし、上下方向の緩みがないように結合する。
【実施例】
【００１２】  以下、添付図の図１に従って一実施例を説明する。１は結合部の間隔保持のためのパイプ、２ａ、２ｂは４の結合用金属棒を通す穴で、２ｂは２ａの外側にはめて、これらでチェーンの結合と同様に連結する。このとき、４の金属棒の一端はカシメ固定する。【００１３】  ３は平頭ビスで頭が外壁外に出ないようなビス穴とし、これにねじ込む。向こう側面と下側面のビスの図は省略した。また、ＡＢ線は溶接し内外側の筒を確実に固定する。【００１４】  二つの筒の連結で接触する筒縁面は、図のような形に切除することにより、右上方に向かって筒を左に曲げられ、中央部の円形の穴をでカシメ等の作業ができる。なお、二つの筒が直線状になっているときは、ここを、筒の外壁に沿ってカバー筒接合具が移動できる。
【図面の簡単な説明】
【００１５】
【図１】連結具の斜視図である。
【図２】登降機の椅子組の斜視図である。
【符号の説明】
【００１６】    １    接合部の間隔保持用のパイプ
２    ２ａ、２ｂは接合用の穴
３    平頭ビス  （向こう側・下側側面のビスは図面上では省略）
３ａ，３ｂ  この２点間の線は溶接場所
４    結合用金属棒
５    接合脱着装置
６    ワイヤーゴム帯
７    ワイヤー固定金属棒
８    糸
９    結合用金属棒
１０    安全ピン用穴
１１    カバー筒接合具
１２    筒形接合具
１３    安全ピン
【図１】
0003123463.tif 000003
【図２】
0003123463.tif 000004
【手続補正書】
【提出日】平成18年4月6日(2006.4.6)
【手続補正１】
【補正対象書類名】実用新案登録請求の範囲
【補正対象項目名】請求項１
【補正方法】変更
【補正の内容】
【請求項１】
二つの筒形接合具を直線状に並べて接触させ、その両筒縁の内壁にチェーンの結合要領で連結した連結具の両端を固定し、両者は一方に曲がることができるようにすると共に連結具等はすべて筒形接合具の外壁内に納め、二つの筒形接合具の連結部が曲がった状態で外側をスライドするカバー筒接合具と接合使用でき、さらに連結部が直線状のときは、カバー筒接合具が連結部外側を通過でき、二つの筒形接合具の任意の位置に接合脱着できるという形状を有する二つの筒の連結具。
(57)【要約】【課題】  本考案は一つの封筒を送信用、返信用に使えるようにするとともに、返信の方法を単純化すること。フイルム封筒にのりしろを２本設けて往復封筒にしたことと、返信用宛名を同封することで返信者の利便性を高める。【解決手段】  本考案は、フイルム封筒にのりしろを２本設け、送信用、返信用の２回使える封筒にするとともに、開封しやすくするため、のりしろとのりしろの間にフイルムを切るためのテープを設ける。返信者の利便性を高めるため返信を簡素化し、返信用の住所と切手不要のマークを印字したものを（送信用住所の裏に印字も可能）同封して返信用に使用することにより問題点を解決している。【選択図】図１
0003123468.tif 000002
【実用新案登録請求の範囲】
【請求項１】
フイルム封筒にのりしろを２本設け、送信用、返信用に使える封筒にするとともに、のりしろとのりしろの間にフイルムを切るためのテープを設けて、この封筒を使った返信方法までを含めたフイルム往復封筒。
【考案の詳細な説明】
【技術分野】
【０００１】  本考案は、のりしろを２本とその間にフイルムを切るためのテープを設けてたフイルム封筒と、その返信方法に関するものである。
【背景技術】
【０００２】  返信の方法として、返信用のはがき、封筒、組み立て式の封筒等を送る時に同封している。
【考案の開示】
【考案が解決しようとする課題】
【０００３】  送信用、返信用の封筒が別では、経済的負担も大きく、封筒ゴミも多く発生する。また、はがきでは、物理的に内容量が限られてしまう。さらに返信用が複雑では、時間的負担であるし、返信する気が薄れてしまう。従って、一つの封筒を送信用、返信用に使えるようにするとともに、返信の方法を単純化することで、前述の欠点を解決しようとするものである。
【課題を解決するための手段】
【０００４】  本考案は、フイルム封筒にのりしろを２本設け、送信用、返信用に使える封筒にするとともに、開封しやすくするため、のりしろとのりしろの間にフイルムを切るためのテープを設ける。返信を簡素化するために、返信用の住所と切手不要のマークを印字したものを（送信用住所の裏に印字も可能）同封して返信用に使用することにより問題点を解決している。
【考案の効果】
【０００５】  上述の様に、本考案のフイルム往復封筒は、返信用の封筒やはがきを用意する必要が無いため、経済的負担や封筒ゴミの発生を押えることができる。返信も簡素化が可能なため開封率、返信率も高めることができるものと考える。
【考案を実施するための最良の形態】
【０００６】  封筒本体の表は透明なフイルム、裏面は白ベタにしてはがきの使用方法を印刷する。宛先を印字したものが表に見えるように（裏面は、返信用住所、切手不要のマークを印字することも可能）送付物を封入し外側ののりしろで封緘して発送する。送信の際は、郵便、民間メール便のいずれでも可能。返信は、返信物を封入して返信用の住所が表に見えるようにして内側ののりしろを使い封緘して返信する。
【実施例】
【０００７】  以下、添付図面に従って一実施例を説明する。１は、フイルム封筒本体の表面で透明になっている。２は、フィルム封筒本体の裏面で白ベタの印刷がされていて、ここに３の往復封筒の使用方法が印刷されている。４は、送信時の封緘用のりしろで、封入物を封入後封緘して送信する。受取人は、５の開封用のフイルムを切るためのテープで開封して中身を取り出す。６は、返信時の封緘用のりしろになり、返信用書類を封入後封緘して返信する。その時に、同封されている７の返信用宛名を利用する。【０００８】  ７の返信用宛名及び、切手不要のマークを印刷したものは、同封の方法として、送信用の宛名の裏へ印刷、または、返信用書類の一部に印刷することが考えられる。例えば、Ａ４用紙なら三つ折にした一つの面に印刷。
【図面の簡単な説明】
【０００９】
【図１】本考案の往復フイルム封筒の一実施例を示す表面と裏面の図である。
【図２】返信用宛名面の図である。
【符号の説明】
【００１０】１  フイルム封筒本体の表面
２  フイルム封筒本体の裏面
３  往復封筒の使用方法の印刷
４  送信時の封緘用のりしろ
５  開封用テープ
６  返信時の封緘用のりしろ
７  返信用宛名の印刷
【図１】
0003123468.tif 000003
【図２】
0003123468.tif 000004
【手続補正書】
【提出日】平成18年4月17日(2006.4.17)
【手続補正１】
【補正対象書類名】実用新案登録請求の範囲
【補正対象項目名】全文
【補正方法】変更
【補正の内容】
【実用新案登録請求の範囲】
【請求項１】
フイルム封筒本体に送信用、返信用の封かん用のりしろを２本設けるとともに、のりしろとのりしろの間にフイルムを切るためのテープを設け、封かんを２回可能にしたところを特徴とするフイルム往復封筒。
(57)【要約】【課題】    タイヤが最高のグリップ力を発揮するには一定の表面温度が必要である。しかし目視だけではタイヤの表面温度を知ることはできない不都合の解消等。【解決手段】    タイヤ表面に、グリップ力を発揮する最適温度に達すると色が変わる感温変色素材を使用した、感温変色センサー部位を持たせる。これによって色の変化で、目視だけでタイヤが走行に最適な温度に達したことを知ることができ、この課題を解決する。【選択図】図１
0003123072.tif 000002
【実用新案登録請求の範囲】
【請求項１】
タイヤの表面及び溝部分の一部に、温度により変色する感温変色センサー部位を備えたタイヤ。
【考案の詳細な説明】
【技術分野】
【０００１】  本件は乗り物に使用するタイヤに関する。
【技術背景】
【０００２】  従来のタイヤでは、見ただけではタイヤの表面の温度がわからなかった（図２）。
【考案の開示】
【考案が解決しようとする課題】
【０００３】  しかしこれでは、タイヤ表面がグリップ性能を発揮しやすい安全運転に最適な温度に達しているかどうか知ることができない。温度を知るためには手で直接タイヤの表面を触ったり、温度計を使用したりせねばならず、不便である。
【解決するための手段】
【０００４】  そこで、走行中に地面との摩擦熱や外気温等で温度が変化するタイヤの表面に、温度により色が変化する感温変色センサー部位を設けることで、タイヤ表面温度の変化が目で見えるタイヤを考案した。（図１）この温感変色センサー付タイヤにより、タイヤが安全運転に最適な温度に在るか否かを視認だけで知ることができるのである。
【考案の効果】
【０００５】  よって、本考案の感温変色センサー付タイヤにより、乗り物を走らせるときに、タイヤの表面温度を容易に知ることができ、安全に運行できるようになる。また、感温変色センサー付タイヤは色の変化で外部からの視認性も高まり、安全運転にもファッション性でも効果的である。
【考案を実施するための最良の形態】
【０００６】  本考案に係る感温変色センサー付タイヤ１０は図１に示すように、タイヤ表面が最適温度に達すると色が変化する感温変色センサー部１を備えている。この感温変色センサー部はタイヤ表面の見やすく、地面との接地面に近い場所に形成される。感温変色センサー部の素材は温度により色が変色する塗料、又は温度により色が変化する成分を含有するゴムなどで、走行の妨げにならぬよう、薄くライン型や文字型に形成する１ことが望ましい。感温変色センサー部の大きさはタイヤのサイズに応じて決めればよい。トレッド面に感温変色センサー部を設置する場合は図３に示すように、地面と直接接地する部分を避け、タイヤの溝の内部に設置する２のが望ましい。感温変色センサー部の色調はタイヤのベース色との差がわかり易く見やすい明るい色彩にする。
【図面の簡単な説明】
【０００７】
【図１】  本考案の感温変色センサー付タイヤの側面図である。
【図２】  従来のタイヤの側面図である。
【図３】  本考案の感温変色センサー付タイヤの正面図である。
【図４】  従来のタイヤの正面図である。
【符号の説明】
【０００８】      １      感温変色センサー部位
２      感温変色センサー部位
３      従来のタイヤの溝
１０    感温変色センサー付タイヤ
２０    従来のタイヤ
【図１】
0003123072.tif 000003
【図２】
0003123072.tif 000004
【図３】
0003123072.tif 000005
【図４】
0003123072.tif 000006
(57)【要約】【課題】  家具等がこじ開けられ、中の物が盗まれるのを水際で防止する手だてがほしい。【解決手段】  錠前を施錠した時に“ＯＮ”になるスイッチと、扉をこじ開けられたときに“ＯＮ”になるスイッチを、直列に連結し、両方のスイッチが“ＯＮ”になった時に電気回路が閉ざされ、警報ブザーが鳴るようにした警報付き錠前で、盗難を未然に防ぐことができる。【選択図】図１
0003123080.tif 000002
【実用新案登録請求の範囲】
【請求項１】
一般家具の扉につける錠前の閂、又は回転式施錠カムの開閉に応じて、“ＯＮ”“ＯＦＦ”となるスイッチと、扉と扉枠の隙間のこじ開けによる間隔の広がりを感知するスイッチ及び電池と警報ブザーとを直列に連結し、施錠中に扉が無理にこじ開けられようとしたときに、警報が鳴って、盗人を未遂のまま退散させることができることを特徴とする警報付き錠前。
【考案の詳細な説明】
【技術分野】
【０００１】  本考案は、電気的感知機能を備えた警報付き錠前に関するものである。
【背景技術】
【０００２】  ロッカーやキャビネットあるいは備え付けの貴重品ボックス等、家具の扉には錠前は取り付けてあるが、扉が無理にこじ開けられた時に警報が鳴る警報器が取り付けられることはなかった。
【考案の開示】
【考案が解決しようとする課題】
【０００３】  ロッカーやキャビネットあるいは備え付けの貴重品ボックス等、家具の扉が無理にこじあけられて、中の物が盗まれるケースが多発しているので、これを水際で防ぎたい。
【課題を解決するための手段】
【０００４】  上記家具等の扉を施錠する時、錠前の閂、あるいは回転式施錠カムがかけられた瞬間に、錠前内に設置されたスイッチが“ＯＮ”の状態になり、又、扉と扉枠との間隙が設計値をはるかに上回る間隔に開かれた時にそれを感知するするスイッチを扉内に設け両方のスイッチが“ＯＮ”になる瞬間に電池の電流が流れて、警報ブザーが、約１００デシベルの警報音を発生し、周囲に異常を知らせるようにした。又、電池からの電流を遮断しないかぎり、警報音は設定時間まで鳴り続ける。
【考案の効果】
【０００５】  上述のように盗人が家具の扉をこじ開けようとして、扉と扉枠の隙間を数ミリ開いた瞬間に警報が鳴るので、扉が完全に開かれる前に警報音に驚いた盗人を、何も取らずに退散させるることができる。
【考案を実施するための最良の形態】
【０００６】  閂式錠前の場合、錠前内に閂の出入りに応じて“ＯＮ”，“ＯＦＦ”の作動をするスイッチを、閂の後部に取り付け、このスイッチと、扉が無理にこじ開けられようとした時にこれを感知するスイッチと電池及び警報ブザーとを直列に結線し、コンパクトにまとめて錠前の近くの扉内又は、扉の内側に取り付けられるようにしたもので、外側からはこれを察知できない。
回転式施錠カムの場合はカムの回転に応じて“ＯＮ”，“ＯＦＦ”の作動をするスイッチを、錠前内のカムの始動部又は終動部に取り付ける。後は前述の閂式錠前の場合とおなじである。
【実施例】
【０００７】  以下、本考案の実施例を図１及び図２に従って説明する。図１−ｉは閂錠の施錠前の状態を表す。図１−ｉｉは施錠後スイッチ▲３▼が“ＯＮ”になったのち、扉が無理にこじ開けられて、スイッチ▲４▼が“ＯＮ”となり、回路が全て閉ざされて、警報ブザーが鳴っている状態を表す。図２−ｉ及び図２−ｉｉは回転式施錠カムの場合で、動作は前述の閂錠の場合と同じである。又、スイッチ▲４▼は非接触型スイッチを含む。
【図面の簡単な説明】
【０００８】
【図１】図１（図１−ｉ、図１−ｉｉ）は閂錠における本考案の実施形態を示す。
【図２】図２（図２−ｉ、図２−ｉｉ）は回転式施錠カム錠における本考案の実施形態を示す。
【符号の説明】
【０００９】  １  閂
２  回転式施錠カム
３  扉枠
４  施錠スイッチ
５  こじ開け感知スイッチ
６  電池
７  警報ブザー
【図１】
0003123080.tif 000003
【図２】
0003123080.tif 000004
(57)【要約】      （修正有）【課題】循環式エレベーターの使用にも耐えられるような強力な懸垂用チェインを提供する。【解決手段】チェインの構成部品として通常用いられている外リンクプレート９の内、所要個数を溝形外リンク５に取り替えてその側面中央部を突き出して負荷懸垂用軸７を設け、溝形外リンク５の脚部６をチェインホイール１０の歯部１１の根元に設けたタイヤ部１２の両側面に嵌合させた状態で、タイヤ部１２の円周面に載せることにより負荷懸垂用軸７に取り付けられた荷重を支えると共に、チェインの中心線より外れているこの荷重によるチェインの危険な傾きに耐えうるようにした懸垂用チェインを開発する。懸垂用チェインの直線運行区間において、懸垂用チェインの溝形外リンク５の溝側の内凹面にハット形の長尺案内材、そして背面には平滑面の長尺案内材を沿わせて、外力に起因する運行時の蛇行を防ぎうるようにした懸垂用チェインの案内通路を設ける。【選択図】図１
0003123087.tif 000002
【実用新案登録請求の範囲】
【請求項１】
チェインの構成部品として通常用いられている外リンクプレート９の内、所要個数を溝形外リンク５に取り替えてその側面中央部を突き出して負荷懸垂用軸７を設け、又、溝形外リンク５の脚部６をチェインホイール１０の歯部１１の根元に設けたタイヤ部１２の両側面に嵌合させた状態で、タイヤ部１２の円周面に載せることにより負荷懸垂用軸７に取り付けられた荷重を支えると共に、チェインの中心線より外れているこの荷重によるチェインの危険な傾きに耐えうるようにした懸垂用チェイン
【請求項２】
請求項１に記載したとおりの懸垂用チェインの直線運行区間において、懸垂用チェインの溝形外リンク５の溝側の内凹面にハット形の長尺案内材１４、そして背面には平滑面の長尺案内材１５を沿わせて、外力に起因する運行時の蛇行を防ぎうるようにした懸垂用チェインの案内通路
【考案の詳細な説明】
【技術分野】
【０００１】  本案の懸垂用チェインは循環式エレベーター用及び物品を水平又は垂直に懸垂しで運行する搬送用機械に使用される。
【背景技術】
【０００２】  現在外リンクプレートの側面に重量物を懸垂して搬送する用途に適応したチェインは見当たらない。
【考案の開示】
【考案が解決しようとする課題】
【０００３】  循環式エレベーターのように重量物の籠をチェインホイールにより引き上げ、その頂点を循環させる動作に適応できる強力な構造の懸垂用チェインは未開発である。本案はこれを満足させる強度をチェインに持たせる。【０００４】  その上、本案の懸垂チェインの外力に起因する運行時の蛇行を防ぐための案内通路を附属させる。
【課題を解決するための手段】
【０００５】  チェインの構造部品として通常用いられている外リンクプレート９の内、所要個数を溝形外リンク５に取り替えてその側面中央部を突き出して負荷懸垂用軸７を設け、又、溝形外リンク５の脚部６をチェインホイール１０の歯部１１の根元に設けたタイヤ部１２の両側面に嵌合させた状態で、タイヤ部１２の円周面に載せることにより負荷懸垂用軸７に取り付けられた荷重を支えると共に、チェインの中心線より外れているこの荷重によるチェインの危険な傾きに耐えうるようにする。【０００６】  懸垂用チェインの直線運行区間において、懸垂用チェインの溝形外リンク５の溝側の内凹面にハット形の長尺案内材１４、そして背面には平滑面の長尺案内材１５を沿わせて、外力に起因する運行時の蛇行を防ぎうるようにする。
【考案の効果】
【０００７】  本案の懸垂用チェインの開発により多数の籠を取り付けて循環するエレベーターのように大きな荷重に耐え、その上安全性の要求に応えることが出来、従来のロープ懸垂式エレベーターに比し、格段に安全度の高いエレベーターが期待できる。
【考案を実施するための最良の形態】
【０００８】  図１及び図２は本考案の懸垂用チェインがチェインホイール１０に噛み合った状態の実施の一例であって、外リンクプレート９は内プレートリンク４の外側に分離した２枚のプレートとして取り付けられているため、これに垂直用軸を取り付けても到底、大きな負荷には耐えられない。そのため本案では一対の外リンクプレート９の代わりに外リンクを溝形の一体形とし、その側面中央部に鍛造により、たたき出して負荷懸垂用軸７を設け、溝形外リンク５の脚部６の内面をチェインホイール１０の歯部１１の根元に設けたタイヤ部１２の両側面にあまり隙間なく嵌合させることにより、溝形リンク６が負荷によりチェインホイール１０から傾くことを防止すると共にその脚部６がタイヤ部１２の円周面に載り、これに荷重を負わせることが出来る。このようにしてチェインの危険な傾きに耐えうるようにする。【０００９】  図３、図４及び図５は本考案の懸垂用チェインが直線運行区間において外力により、例えば地震等によりゆり起こされ、波打つ状態になることを防ぐために案内通路を設けるものである。チェインの波打つ状態はエレベーターに使用されるとき絶対に避けるべき現象である。本案の懸垂用チェインには負荷懸垂用軸７も設けた溝形リンク５以外にこの懸垂用軸７を取り付けていない溝形外リンク５を通常の外リンクプレート９の数個の間に、図３のように介在させることにより、溝形外リンク５の溝側の内凹面に嵌りこむようにハット形の長尺案内材１４を少し隙間をあけて配置し、又溝形外リンク５の背面の平面部に平滑面の長尺案内材１５を少し隙間をあけて配置し、これらを架台から支持腕１６により支えられている。従って本案の懸垂用チェインは地震等の外力によっても円滑な運行を続けることができる。
【図面の簡単な説明】
【００１０】
【図１】  本考案の実施形態に於いて懸垂用チェインがチェインホイールに噛み合った状態の実施例
【図２】  図１のＸ−Ｘ断面図
【図３】  本考案の実施形態に於いて懸垂用チェインが案内通路に納められた状態の実施例
【図４】  図３のＹ−Ｙ断面図
【図５】  図３のＺ−Ｚ断面図
【符号の説明】
【００１１】  １・・・ローラー                  ２・・・ブッシュ
３・・・ピン                      ４・・・内リンクプレート
５・・・溝形外リンク              ６・・・溝形外リンクの脚部
７・・・溝形外リンクの負荷懸垂用軸
８・・・負荷取付腕                ９・・・外リンクプレート
１０・・・チェインホイール        １１・・・チェインホイールの歯
１２・・・チェインホイールのタイヤ部
１３・・・チェインホイールの駆動軸
１４・・・ハット形の長尺案内材    １５・・・平滑面の長尺案内材
１６・・・架台の支持腕
【図１】
0003123087.tif 000003
【図２】
0003123087.tif 000004
【図３】
0003123087.tif 000005
【図４】
0003123087.tif 000006
【図５】
0003123087.tif 000007
(57)【要約】【課題】  従来、身体障害者が悩み、苦労していた障害とフランジ交換時の手間などの削減に寄与できるストーマケア補助器の提供を技術的課題とする。【解決手段】  フランジを剥がした後のストーマの上に被せる事で、ストーマからの排尿、排便の漏れを防ぎ、ストーマ周辺の肌の洗浄、乾燥、フランジ交換を容易にする、使い捨ての吸収体を底部に差込み、固定させる事ができる、頭部に球体状の取っ手を有するストーマケア補助器を提供するにある。【選択図】  図１
0003123094.tif 000002
【実用新案登録請求の範囲】
【請求項１】
人工膀胱及び人工肛門を持つ身体障害者のフランジ交換時の排尿、排便の漏れ防止及び容易なフランジ交換を目的とする、プラスチック類による可撓性且つ透光性素材で成る円筒状容器であり、該容器内に水分の吸収体を挿入、取り出し自在に設け、該容器の頭部に、容器の筒部直径より小さな直径の球体状取手を設けて成るストーマケア補助器。
【考案の詳細な説明】
【技術分野】
【０００１】
本案件は身体障害者の使用条件に適合して取り扱い上の手間などの削減に
寄与できるよう改善されたスト−マケア補助器具である。
【背景技術】
【０００２】
従来、身体の手術による人工膀胱、並びに人工肛門などの身体障害者は、身体腹部の肌の表面にストーマを設け、パウチと一体化させる為に肌に密着させているフランジを定期的に交換する際、排尿及び排便のストーマからの漏れを紙等の吸収体で防止している。
【考案の開示】
【考案が解決しようとする課題】
【０００３】
フランジ交換の際の皮膚の洗浄後の乾燥処理をする間、ストーマより断続的に排尿、排便の漏れが生じる為に乾燥を困難とさせる。
【０００４】
ストーマからの排尿、排便の漏れを抑える為に紙などの吸収体を使うと、ストーマからの断続的な漏れにより吸収体にかなりの水分を含み、何度かの吸収体の交換が必要となる。
【０００５】
フランジ交換の際、密着度を高める為ストーマ周辺の乾燥が必要となる。その為、ストーマからの排尿、排便の漏れがフランジ交換部分の皮膚を濡らさぬよう迅速な処置が必要となる。
【０００６】
フランジ交換時、迅速な処置が求められるが、その為確実さが減少され、フランジの縒れ、ずれ等が発生する確率が高くなる。
【０００７】
本考案は上述の障害と欠点を予防、改善する為になされたものであり、身体障害者が悩んでいた障害と、フランジ取り扱い上の手間などの削減に寄与できるストーマケア補助器具を提供する事を技術的課題とする。
【課題を解決するための手段】
【０００８】
人工膀胱或いは人工肛門を持つ身体障害者の排尿、排便を一時的に溜めておく袋であるパウチを固定する為、肌に密着される粘着シートであるフランジを交換する際に、密着部の肌の洗浄後、乾燥させるまでの間における排尿、排便の漏れを防止する為、使い捨ての紙などの素材による吸収体を挿入固定でき且つ容易に取り出し得る一端が開口される吸収体の取出口を有する円筒状容器の他端部に、該容器の円筒直径より小さな直径の球体状取手を設けるストーマケア補助具として課題を解決するものである。
【考案の効果】
【０００９】
ストーマの大きさに個人差がある為、補助器の吸収体挿入部の直径はフランジの穴の大きさに分けるのが適切であり、挿入する吸収体は衛生面上使い捨て出来る紙や脱脂綿等が適当である。また吸収体を挿入する容易さとストーマとの密着度を考慮すると円柱形が適当であり、持ちやすく着脱させ易いよう挿入部より小さい球体状の取っ手を有し、吸収体を固定し易く、フランジを通しやすいよう長さ４ｃｍが適当である。
【００１０】
補助器を使用する事により、吸収体がストーマからの排尿、排便の漏れを完全に防止し、人工膀胱及び人工肛門を持つ身体障害者各人の方法速度で容易にかつ安全、正確にフランジを粘着させる事ができ、身体障害者の精神的苦痛、及び手間の削減、フランジの粘着失敗による無駄な出費を軽減できる。
【実施例】
【００１１】
以下、本考案の実施態様を図面に示す実施例に従って説明する。
身体障害者の排尿、排便を一時的に溜めておく袋であるパウチを固定させる為の肌に密着しているフランジを交換する際、密着部の肌を洗浄しなければならず、その際の断続的なストーマからの排尿、排便の漏れを防止し乾燥を促す為に使用する、使い捨ての紙、布、海綿或いは鉱物粉の固形物などでなる吸収体３を出し入れできる開口部を有する円筒状容器１の中に吸収体３を挿入してストーマに被せる。この被せる行為により、吸収体３がストーマからの排尿、排便を吸収し、身体障害者各人に対する方法、速さで、容易にフランジ密着部の肌を洗浄できることになる。容器１には、その頭部に容器１の筒状部の直径より小さな直径で成る球状の取手２を設け、容器１を光に対して透明な素材で成形して容器１の内部が見えるようになっている。また、容器１はプラスッチック類例えば透明グレードの可撓性軟質材として塩化ビニール等が安価に使用できるので望ましいものとなる。本実施例においては、容器１と取手２をが一体と成っている例を示してあるが、容器１と取手２を一体化して成形するか別体として成形するか、と言うような事に関しては設計上の問題となる。
また、本補助器は、大きさとして筒状部の直径に違いのあるものを数種類用意すればことが足りるものである。
【００１２】
ストーマに補助器を被せた状態で、フランジの穴からフランジを通し、フランジを肌に密着させる。確実に密着したか確認後、パウチを当て、補助器をストーマから外す。
【図面の簡単な説明】
【００１３】
【図１】本考案の一実施例を示す断面図である
【符号の説明】
【００１４】
１    容器
２    取手
３    吸収体
【図１】
0003123094.tif 000003
(57)【要約】【課題】内面に反射体を備えた収納ケースに照明手段を組み込むことにより、それ自体一層美しく、かつ、被収納物をより美しく見せる収納ケースを提供する。【解決手段】箱状体３の内面に反射体５を備えた収納ケース１において、  該箱状体３には該箱状体３の内部を照明する発光ダイオード２３を内設したことを特徴とする収納ケース。箱状体３は、その形状、構造、材質、扉ないし蓋の有無等を問わない。発光ダイオード２３は、所望の発光色を備えたものを適宜使用する。異なる発光色を備えたものを組み合わせて使用しても差し支えない。【選択図】図１
0003123097.tif 000002
【実用新案登録請求の範囲】
【請求項１】
箱状体の内面に反射体を備えた収納ケースにおいて、
該箱状体には該箱状体の内部を照明する発光ダイオードを内設したことを特徴とする収納ケース。
【考案の詳細な説明】
【技術分野】
【０００１】
本考案は、内面に反射体を備えた収納ケースに関するものであり、例えば花、位牌、ミニチュアカー、フィギャー等（以下これらのものを「被収納物」という。）を収納するようにした収納ケースに係るものである。
【背景技術】
【０００２】
内面に反射体を備えた収納ケースは既に知られている。
【０００３】
登録第３０１２０５４号公報は、内面に鏡体を取り付けた化粧品等の収納箱を開示している。
【特許文献１】登録第３０１２０５４号公報
【考案の開示】
【考案が解決しようとする課題】
【０００４】
内面に反射体を備えた収納ケースは、それ自体美しいものであり、被収納物を美しく見せるものであるが、本考案は、内面に反射体を備えた収納ケースに照明手段を組み込むことにより、それ自体一層美しく、かつ、被収納物をより美しく見せる収納ケースを提供しようとしてなされたものである。
【課題を解決するための手段】
【０００５】
上記課題を解決するために、本考案は下記の収納ケースを提供する。
【０００６】
箱状体の内面に反射体を備えた収納ケースにおいて、
該箱状体には該箱状体の内部を照明する発光ダイオードを内設したことを特徴とする収納ケース。
【考案の効果】
【０００７】
箱状体に内設した発光ダイオードは、該箱状体の内部を照明する。しかして、箱状体の内面には反射体が配設されているため、発光ダイオードの光は箱状体内面の反射体により様々に反射する。従って、収納ケース自体が非常に美しく、かつ、独特の雰囲気を醸し出すと共に、該収納ケースに収納した被収納物も極めて美しく見える。すなわち、本考案により、収納ケースの商品価値が高まる。
【考案を実施するための最良の形態】
【０００８】
以下、考案を実施するための最良の形態について、添付図面を参照して説明する。
【０００９】
本考案の収納ケース１は、箱状体３の内面に反射体５を備えている点においては、上記従来の収納ケースと共通する。
【００１０】
箱状体３は、その形状、構造、材質、扉ないし蓋の有無等を問わない。
【００１１】
図１、図２に示す事例における箱状体３ａは、略直方体の一面を開口して開口部６としてなるものである。
【００１２】
図３に示す事例における箱状体３ｂは、上記箱状体３ａにおける開口部６に扉７を開閉自在に備えさせてなるものである。符合１１に示すものは、扉７を箱状体３ｂの開口部６に開閉自在に取り付けているヒンジである。
【００１３】
扉７は、一例として、透明部ないし透光部９を備えている。
【００１４】
図４に示す事例における箱状体３ｃは、多角筒体の前面に開口部１３を備えさせてなるものである。
【００１５】
図５に示す事例における箱状体３ｄは、円筒体の前面に開口部１５を備えさせ、該開口部１５にヒンジ１７を介して断面円弧状の扉１９を開閉自在に取り付けてなるものである。
【００１６】
収納ケース１は、箱状体３の内面に反射体５を備えている。
【００１７】
反射体５は、箱状体３の内面全体に取り付けてもよいが、箱状体３の内面の一部に取り付けてもよい。
【００１８】
反射体５としては、ガラス板、アクリル板、金属板等を用いた鏡等の反射板の他、粒状等の反射材を用いても差し支えない。
【００１９】
しかして、本考案においては、箱状体３には該箱状体３の内部を照明する発光ダイオード（ＬＥＤ）２３を内設する。
【００２０】
発光ダイオード２３は、所望の発光色を備えたものを適宜使用する。異なる発光色を備えたものを組み合わせて使用しても差し支えない。
【００２１】
なお、箱状体３は、上下方向又は左右方向に複数個を併設しても差し支えない。
【図面の簡単な説明】
【００２２】
【図１】本考案による収納ケースの一例を示す斜視図である。
【図２】同上収納ケースの断面図である。
【図３】本考案による収納ケースの別の一例を示す断面図である。
【図４】本考案による収納ケースの更に別の一例を示す断面図である。
【図５】本考案による収納ケースの更に別の一例を示す断面図である。
【符号の説明】
【００２３】
１  収納ケース
３  箱状体
３ａ  箱状体
３ｂ  箱状体
３ｃ  箱状体
３ｄ  箱状体
５  反射体
６  開口部
７  扉
９  透明部ないし透光部
１１  ヒンジ
１３  開口部
１５  開口部
１７  ヒンジ
１９  扉
２３  発光ダイオード
【図１】
0003123097.tif 000003
【図２】
0003123097.tif 000004
【図３】
0003123097.tif 000005
【図４】
0003123097.tif 000006
【図５】
0003123097.tif 000007
(57)【要約】      （修正有）【課題】本考案は各家庭の台所に必ず必要とする布巾において、一対の布巾でありながら、その時々に手早く多様に活用出来る事を提案した布巾とし、考案の効果に述べてある以上に、使用する側の用途や過程において、様々な活用方法が出来る事とし、世界中の台所等で活用出来る事を、提案した布巾である。【解決手段】本考案は毎日の布巾としていつも使用しながら、料理の過程や食器洗いと一対の布巾でありながら必要とする時々にすぐ使える便利な布巾であり、二枚合わせながら乾きも早く衛生的である。【選択図】図１
0003123049.tif 000002
【実用新案登録請求の範囲】
【請求項１】
ポリエステル素材によるネット生地と、タオル生地との二種類の異なる素材を、袋状に縫い合わせ形成した一対の布巾である。ネット側使用、タオル側使用、袋状使用、台所、毎日の料理にと便利に多様に活用出来る事を特徴とし、一方の面を使用する時、対の面がその効果を補い高める多様途便利布巾を提供する。
ネット生地は一目が５mm四方の素材が網目も程好く、洗濯用ネットに使用されて
いる素材が、程好い網目で熱にも強く生地も丈夫なので適切である。            
【請求項２】
請求項２の他用途浴用タオル用は、請求項１と同様の素材であるが、浴用タオルと
すべく長方形とし使用面毎に、垢すり、泡立てが一つのタオルで兼用出来る。
ネット側使用により、赤ちゃんの入浴用時の安全タオルとしても、活用出来る浴用
タオルを提案する。
【考案の詳細な説明】
【技術分野】
【０００１】
本考案は台所の布巾として毎日使用しながら料理、食器拭き、食器洗い、料理の下ごしらえと、多様に活用出来る便利な布巾とした物である。
【背景技術】
【０００２】
台所には必ず必要とする布巾であるが一般的には食器の拭取りや、テーブル拭き、暖かい物の手の保護である。
【考案の開示】
【考案が解決しようとする課題】
【０００３】
料理の課題においてその時々に何かを取り出し使用したりすることは時間も掛かり不便である。
【課題を解決するための手段】
【０００４】
本考案は台所の布巾として通常使用しながらも、料理の過程や食器洗い等、便利に、すぐ活用出来る。紐を通してあることで袋状に野菜等を入れて使用の時、紐を引き袋口を縛る事で布巾に入れて調理する材料が、布巾の外にはみ出さないように出来る事や、水切りの時等は紐を引き、吊り下げておくことで便利に使用出来ることである。更にタオル地側使用、ネット地側使用、リバーシブル使用、袋状使用で、野菜等の出し入れも出来ることとし、二枚合わせながら乾燥も早く布巾として清潔であり、一対の布巾である事で、多様に活用出来る事を解決した事である。
【考案の効果】
【０００５】
食器を拭くとき、袋状に手を入れてタオル地で拭くことにより手早く拭ける。
【０００６】
二枚の布巾を使い左右の手を袋状から入れて、食器類をタオル側で拭くことで手早く出来る。
【０００７】
食器など洗う時にネット側に洗剤を付ける事で泡立ちが良く、ネット地が汚れをすばやく落としてくれる布巾である。
【０００８】
長芋の摩り下ろしの時、小さくなった芋は手に持つと滑りやすく、下ろし器具に手を引っ掛ける等危ない事からネット側で持つと滑らず安全である。小さくなった芋は袋状からネット側に置き、すりこぎ棒やスプーン、包丁などで叩く事で無駄なく綺麗に出来、後始末も簡単である。
【０００９】
ゆで卵のそぼろ作り、少しだけの卵でも袋状からネット側に入れて、すりこぎ棒、スプーン、しゃもじ等で絞り出す事で無駄なく、手早く綺麗に出来る。
【００１０】
マッシュポテト作り、袋状からネット側に入れてすりこぎ棒、スプーン、しゃもじ等で押し出し、また手で絞り出す事で手早く出来る。
【００１１】
豆腐の水切り、袋状からネット側に入れて置き、その後タオル地側で拭くことにより手早く便利である。
【００１２】
サラダ用等野菜や海藻類の水切りに、袋状から入れてネット側で水を絞りきり、その後タオル側で拭取る事で水切りが素早く綺麗に出来る。
【００１３】
おにぎりを作った時、皿やまな板の上に置くとおにぎりの下になっている方が湯気でベッタリするが、乾いてある多用途布巾のネット側の上に置く事で下側になっているおにぎりも直ぐサラッとしくっ付かず、のりを巻いた時も湿っぽくならず便利である。
【００１４】
野菜や肉等を叩いて下準備をする際に、材料を袋状に入れてタオル地側から叩くことで、水分等の飛び跳ねを防ぐ事が出来ることである。
【００１５】
一対のタオルでありながら垢すり、泡立て用、タオルと多用できる。
【００１６】
ネット側に浴用石鹸をつけ、泡立てる事で肌に程よい浴用タオルとなる。
【００１７】
赤ちゃんの入浴時、ネット側に抱っこして入浴する事で赤ちゃんが動いても滑りづらく安全なタオルである。
【００１８】
垢すり、泡立て、タオルと多様出来る事から、ホテル等の浴室添え付け用として便利と考えられる。
【００１９】
袋状にした事により温泉や浴場に出掛ける時、浴用グッズも入れられ便利と考えられる。
【図面の簡単な説明】
【００２０】
【図１】本考案の他用途便利布巾である。
【図２】本考案の他用途便利布巾の立体図である。
【図３】本考案の垢すり、泡立て、タオル、と多様に出来る他用途浴用タオルの本体である。
【図４】本考案の、多様途浴用タオルの立体図である。
【符号の説明】
【００２１】
１  本体
２  紐
３  ネット地側
４  タオル地側
【図１】
0003123049.tif 000003
【図２】
0003123049.tif 000004
【図３】
0003123049.tif 000005
【図４】
0003123049.tif 000006
【手続補正書】
【提出日】平成18年4月18日(2006.4.18)
【手続補正１】
【補正対象書類名】実用新案登録請求の範囲
【補正対象項目名】全文
【補正方法】変更
【補正の内容】
【実用新案登録請求の範囲】
【請求項１】
ポリエステル素材によるネット生地とタオル生地との二種類の異なる素材を、袋状に縫い合わせて形成した一対の布巾であり、ネット生地は一目が５mm四方の素材が網目も程好く、洗濯用ネットに使用されている素材が程好い網目で熱にも強く生地も丈夫なので適切であり、ネット側使用、タオル側使用、袋状使用によって、台所、毎日の料理にと便利に活用出来る事を特徴とし、一方の面を使用する時、対の面がその効果を補い高める布巾。
【請求項２】
請求項１の他用途浴用タオル用は、請求項１と同様の素材であるが、浴用タオルとすべく長方形とし使用面毎に、垢すり、泡立てが一つのタオルで兼用出来、ネット側使用により、赤ちゃんの入浴用時の安全タオルとしても活用出来る浴用タオルを提案する布巾。
(57)【要約】      （修正有）【課題】家庭内の、床板面、カーペット、畳、の上を、歩いて清掃する事ができるモップ付き靴下カバーの提供。【解決手段】靴下カバーの底被２にモップ４を取付ける事によって、家庭内の床板面、及びカーペット、及び畳の上を、異和感なく歩きながら、清掃を行なう事ができる。【選択図】図１
0003123050.tif 000002
【実用新案登録請求の範囲】
【請求項１】
靴下カバーの底被に、靴下カバーの底被と同等の形状となるモップを取付けた、モップ付き靴下カバー。
【考案の詳細な説明】
【技術分野】
【０００１】  本考案は靴下の上から装着して、人が歩く事によって床面の清掃を行なえる、清掃具に関するものである。
【背景技術】
【０００２】  従来、歩きながら床面の清掃を行なえる清掃用具に、スリッパの下面にモップを固定的に取付けた清掃用具があったが、清掃具としてのモップは、汚れをモップに付着させる事によって、床面の清掃を行なうものである為、スリッパ付きのモップも汚れが付着し易すく、こまめにモップの汚れを落とす事が必要となる。
このモップ付きスリッパの場合、構造的に多少丈夫にできていても、実質的には、洗濯機の中へ投入しての丸洗いは不適当であり、５度、６度と、洗濯機の中へ投入して丸洗いした場合、スリッパとしての役目を果たせなくなる事は、ほぼ確実であろうと思われ、手洗いによって、下面のモップの汚れを、落とさざるを得ないものと、思われる。
又、スリッパを家庭内で履く場合には、履く場所が限られており、最近の建築物では、フローリングの坂張り床面の上で履く事になり、一般家庭にあるカーペットの上、及び、畳の上で履く事は不自然であり、カーペットの上、及び、畳の上では脱ぐ事になるが、カーペットの上、及び、畳の上であっても、フローリングの床板面と同様に、ほこりが上に溜る事には変りなく、床板面と同様に、汚れ物が存在する事には、変りはない。
【考案の開示】
【考案が解決しようとする課題】
【０００３】  スリッパの床面に固定的にモップを取付けた清掃具は、底面のモップ部分が汚れた場合、洗濯機へ投入しての丸洗いを行なうには、回数に限度があり、耐久性に問題が生じて来る為、手洗いによって、モップの汚れ部分を落とさざるを得なく、又、家庭内で、カーペットの上、及び、畳の上で用いるには、不適当である為、清掃用具としての耐久性、及び、利便性に欠けるものであると、言わざるを得ない。
【課題を解決するための手段】
【０００４】  本考案は、靴下カバーの底被に、靴下カバーの底被と同等の面積の、モップを取付けて、靴下の上からはいて使用するものであり、足にピッタリと密着して使用する物である為、カーペットの上、及び、畳の上で歩いて使用しても異和感はなく、家庭内で常日、靴下の上からはいて、家庭内のどこの場所でも清掃を兼ねて歩く事が可能であり、又、歩く事によって底面のモップ部分が汚れた場合、靴下と同様に、何度でも洗濯機へ投入して、洗う事が可能であり、利便性、及び、耐久性に、すぐれた清掃具であると言える。
【考案の効果】
【０００５】  上述のように、本考案のモップ付き靴下カバーは、家庭内のどの場所でも、歩きながらの清掃が可能であり、又、清掃する事によってモップ部分が汚れた場合、何度でも洗濯機へ投入して洗う事が可能であり、利便性と、耐久性にすぐれた清掃具としての使用が、可能となる。
【考案を実施する為の最良の形態】
【０００６】  モップ付き靴下カバーには、大きさのサイズとして、Ｓ、Ｍ、Ｌ、があり、モップ付き靴下カバーを履く人は、それぞれ自分の足の大きさに、適したサイズのモップ付き靴下カバーを履く事になり、実際に使用する場合には、靴下を履いた上から装着する事となる。
【実施例】
【０００７】  以下、添付図面に従がって一実施例を説明する。１は弾力性のある布地によって形成された甲被であり、その下方周囲は、足底形を形成している底被２の足形周囲と強固に結合しており、足形を形成している底被２の底面には、ほこり、及び、ゴミ、等を吸い付ける性質のあるモップ４が、取付けられている構造となる。【０００８】  本考案のモップ付き靴下カバーは、上述の如き構造から成るが、使用する場合には２個を１組として使用し、通常は靴下を履いた上から装着する事となり、それぞれ、左右の足を、足入れ口３から入れる事により、弾力性のある甲被１によって、足にピッタリとフィットしての装着が可能となる。【０００９】  本考案に於けるモップ付き靴下カバーは、その形状からして床板面のみでなく、カーペットの上、及び、畳の上であっても、異和感なく歩く事が可能であり、家庭内を広範囲に歩って清掃する事が可能となり、モップ４の糸面部が汚れた場合には、何度でも、洗濯機へ投入しての洗浄が可能となる。
【図面の簡単な説明】
【００１０】
【図１】本考案の実施例を示す、モップ付き靴下カバーの斜視図である。
【図２】本考案の実施例を示す、モップ付き靴下カバーの側面図である。
【図３】本考案の実施例を示す、靴下カバーの斜視図である。
【図４】本考案の実施例を示す、靴下カバーの側面図である。
【図５】本考案の実施例を示す、モップの斜視図である。
【図６】本考案の実施例を示す、モップの側面図である。
【符号の説明】
【００１１】１  甲被
２  底被
３  足入れ口
４  モップ
【図１】
0003123050.tif 000003
【図２】
0003123050.tif 000004
【図３】
0003123050.tif 000005
【図４】
0003123050.tif 000006
【図５】
0003123050.tif 000007
【図６】
0003123050.tif 000008
(57)【要約】      （修正有）【課題】丸球のネックレスに付随するクラスプ（金具）を、任意の位置（自由な長さに）に容易にセット出来るスルー・スライドララスプの提供。【解決手段】１クラスプ本体に、２スライド金具を取付けその金具に開口部を設ける事によりネックレスが任意の位置で容易にセット出来ると共に、留め金具としての機能に役立つ。【選択図】図１
0003123045.tif 000002
【実用新案登録請求の範囲】
【請求項１】
天然石の丸球ネックレスに、スライド式の特殊金具を取り付け、長さ調整が自由に出来、簡単に装脱着できるネックレス用金具。
【考案の詳細な説明】
【技術分野】
【０００１】  本考案は、どの部分にでも留められる、ネックレスの留め金（クラスプ）に関するものである。
【背景技術】
【０００２】  丸球のネックレスにおける金具は長さ調節が難しく、しかも取り外しが困難であった。
【考案の開示】
【考案が解決しようとする課題】
【０００３】  長さ調節出来ないが為に、同じ物を複数本購入しなくてはいけない現状を解決し、しかも取り外しを容易にしようとするものである。
【課題を解決するための手段】
【０００４】  本考案は金具自体にスライド式の一体型の金具を取付けることにより、脱着の簡素化及び自由な長さ調整を可能にしている。
【考案の効果】
【０００５】  上述のように、本考案のクラスプは止め金具としての機能は勿論の事、どの長さにも留める事が出来る上、脱着が容易として役立つ。
【考案を実施するための最良の形態】
【０００６】  このクラスプのスライド式の部分を外し、ネックレスの先から本体に通し、長さをあわせ、スライドの部分を押し込むことにより、固定される。そして、外れなくなる事により留め金具としての効果を発揮し、しかもどの丸球にでも取り付けることが出来ることにより、長さ調節が自在となる。
【実施例】
【０００７】  以下、添付図面に従って説明します。１．は貴金属製のクラスプでどの玉の部分にも留める事が出来る。２．天然石丸球ネックレス。３は１のクラスプの開口部であり、シリコンが装着されていて、ここに任意の玉を合わせ、押し込む事により、玉に傷つける事無く留め金具として機能する。
【図面の簡単な説明】
【０００８】
【図１】  本考案のクラスプの使用例。
【符号の説明】
【０００９】１  クラスプ本体
２  スライド式の金具
３  本体と金具を繋ぐ蝶番
４．開閉時に指をかけるフック
５．ネックレスのワイヤー、紐等を通す穴
【図１】
0003123045.tif 000003
【手続補正書】
【提出日】平成18年3月28日(2006.3.28)
【手続補正１】
【補正対象書類名】明細書
【補正対象項目名】０００７
【補正方法】変更
【補正の内容】
【０００７】  以下、添付図面に従って説明します。１貴金属製のクラスプ本体、２スライド式の金具で玉と玉の間に入り固定されクラスプ（止め金具）の機能となる。３本体と金具を繋ぐ蝶番でここを中心に開閉する。４開閉時に指をかけるフックで脱着を容易にする。５ネックレスのワイヤー、紐等を通す穴で丸玉のネックレスがここに取付けられる。
(57)【要約】【課題】  水環境から油汚染物を選択的に吸着して水面に浮遊する油流出物を除去したり、その拡散を防止する効率的かつ効果的な油吸着材を提供する。【解決手段】  本油吸着材は、破砕処理した杉樹皮の細片、繊維状体、粒状体、粉末を適度な間隔のある密度に混合して形成した層を備えて、さらに該層の全体を、通油性を有する編み目が粗い袋体の袋内に充填して被覆し、封入して成すことを特徴としたことで、容易に水環境に投入でき、油汚染物を選択的に吸着して水面に浮遊する油流出物を効率的かつ効果的に吸着する。【選択図】図１
0003123069.tif 000002
【実用新案登録請求の範囲】
【請求項１】
油吸着材であって、破砕処理した杉樹皮の細片、繊維状体、粒状体、粉末を適度な間隔のある密度に混合して形成した層を備えて、さらに該層の全体を、通油性を有する編み目が粗い袋体の袋内に充填して被覆し、封入して成すことを特徴とする油吸着材。
【考案の詳細な説明】
【技術分野】
【０００１】  本考案は、水面に浮遊する油流出物を吸着する油吸着材に関するものである。
【背景技術】
【０００２】  油漏れ事故等が原因で河川や海洋に浮遊する油流出物は、長年にわたって困難かつ費用のかかる除去問題を引き起こしてきた。従来、油吸着材として、ピートモス、硅藻土、布きれ、パルプ等が使用されているが、水面に浮遊する油流出物の吸着には適していないなどの問題を有している。また、籾殻活性炭を袋詰めした油吸着材の提案が開示されている（例えば、特許文献１参照。）。
【特許文献１】特許公開２００３−１４４９１８号広報
【考案の開示】
【考案が解決しようとする課題】
【０００３】  本考案は、上記従来の油吸着材が有する問題点に鑑み、水環境から油汚染物を選択的に吸着して水面に浮遊する油流出物を除去したり、その拡散を防止する効率的かつ効果的な油吸着材を提供することを目的とする。
【課題を解決するための手段】
【０００４】  本考案の油吸着材は、破砕処理した杉樹皮の細片、繊維状体、粒状体、粉末を適度な間隔のある密度に混合して形成した層を備えて、さらに該層の全体を、通油性を有する編み目が粗い袋体の袋内に充填して被覆し、封入して成すことを特徴としたことで、容易に水環境に投入でき、油汚染物を選択的に吸着して水面に浮遊する油流出物を効率的かつ効果的に吸着する。
【考案の効果】
【０００５】  本考案の油吸着材によれば、杉樹皮を破砕処理した細片、繊維状体、粒状体、粉末を適度な間隔のある密度に混合して形成した層にしたことで、様々な粘度の油の付着に優れ、さらには、該層の全体を、通油性を有する編み目が粗い袋体で被覆したことで、油の通過に支障をきたすことなく安定した油吸着機能を維持することができる。また、従来は大半が産業廃棄物とされる存在であった樹皮、特に杉樹皮が油吸着材料に有効活用できるため、油吸着材を安価に大量供給することができる。使用後は、焼却処理することも可能なことから、燃料としてこれを再利用してもよい。
【考案を実施するための最良の形態】
【０００６】  以下、本考案の実施の形態について、図面を参照して説明する。
図１に示すように、油吸着材１は、破砕処理した杉樹皮の細片、繊維状体、粒状体、粉末を適度な間隔のある密度に混合して形成した層２を備えて、さらに該層の全体を、通油性を有する編み日が粗い袋体３の袋内に充填して被覆し、封入して成すことを特徴とした。
【図面の簡単な説明】
【０００７】
【図１】  本考案にかかる油吸着材の一実施例を示す一部を破断した斜視図である。
【符号の説明】
【０００８】  １  油吸着材
２  破砕処理した杉樹皮の細片、繊維状体、粒状体、粉末を適度な間隔のある密度に混      合して形成した層
３  通油性を有する編み目が粗い袋体
【図１】
0003123069.tif 000003